(57)【要約】【課題】  ユーザに煩わしさを極力与えずに、受信に適したチャンネル（ＣＨ）および受信方向を記憶する。【解決手段】  放送受信装置は、接続された指向性を切換可能なアンテナの指向性を所定方向に切換え、アンテナから入力された複数の放送信号のうちから所定ＣＨに対応する放送信号を抽出し、所定ＣＨと所定方向とを切換える切換制御をし（Ｓ１２１〜１３２，１３７，１４３）、所定のＣＨと方向との組合せごとに抽出放送信号の受信の適否判定を行ない（Ｓ１３３〜１３６）、適している所定方向のうち少なくとも１つを所定ＣＨと対応付けて記憶し（Ｓ１４１）、抽出放送信号が信号処理された信号の表示装置または記録装置での使用判定をし（Ｓ１４２）、切換制御時に使用されている場合（Ｓ１４２ＹＥＳ）切換制御を停止し、そのときの切換状態を記憶し（Ｓ１４４）、不使用となったときにその切換状態から切換制御をする（Ｓ１２１）。【選択図】        図５
2006129060.tif 000002
【特許請求の範囲】
【請求項１】
接続された指向性を切換可能なスマートアンテナの指向性を所定の方向に切換える指向性切換手段と、
前記スマートアンテナから入力された複数のチャンネルのそれぞれに対応する放送信号のうちから所定のチャンネルに対応する放送信号を抽出する放送信号抽出手段と、
前記指向性切換手段と前記放送信号抽出手段とを制御して、前記所定のチャンネルについて予め定められた複数の方向すべてに切換えた後に次のチャンネルに切換える順番で、前記所定のチャンネルと前記所定の方向とを切換えるチャンネル方向切換制御を行なう順番切換制御手段と、
前記順番切換制御手段によって切換えられている前記所定のチャンネルと前記所定の方向との組合せごとに、前記放送信号抽出手段によって抽出された放送信号が受信に適しているか否かの受信判定を行なう受信適否判定手段と、
前記受信判定で受信に適していると判定された前記所定の方向のうち少なくとも１つを前記所定のチャンネルと対応付けて記憶する受信チャンネル記憶手段と、
前記放送信号抽出手段によって抽出された放送信号を信号処理する信号処理手段と、
前記信号処理手段によって信号処理された信号がモニタまたはレコーダで使用されているか否かの使用判定をする使用判定手段と、
前記チャンネル方向切換制御を停止する切換停止制御手段と、
前記順番切換停止制御手段によって前記チャンネル方向切換制御が停止されたときの前記チャンネルの次のチャンネルを、前記チャンネル方向切換制御の切換状態として記憶する切換状態記憶手段と、
前記信号処理手段によって信号処理された信号のモニタまたはレコーダでの使用が予約されているか否かの予約判定をする予約判定手段と、
前記予約判定手段により予約されていると判定された場合、予約されている時間までの期間を算出する期間算出手段と、
前記期間算出手段によって算出された期間で前記受信判定が可能なチャンネル数を算出するチャンネル数算出手段とを備え、
前記切換停止制御手段は、
前記チャンネル方向切換制御が行なわれているときに前記使用判定で使用されていると判定された場合、前記順番切換制御手段によって切換えられているチャンネルについてすべての方向に切換えられたときに、前記チャンネル方向切換制御を停止する使用切換停止制御手段と、
前記チャンネル数算出手段によって算出されたチャンネル数のチャンネルに前記順番切換制御手段によって切換えられたときに、前記チャンネル方向切換制御を停止する予約切換停止制御手段とを含み、
前記順番切換制御手段は、前記使用判定で使用されなくなったと判定されたときに、前記切換状態記憶手段に記憶されたチャンネルから、前記チャンネル方向切換制御を行なう、放送受信装置。
【請求項２】
接続された指向性を切換可能な可変指向性アンテナの指向性を所定の方向に切換える指向性切換手段と、
前記可変指向性アンテナから入力された複数のチャンネルのそれぞれに対応する放送信号のうちから所定のチャンネルに対応する放送信号を抽出する放送信号抽出手段と、
前記指向性切換手段と前記放送信号抽出手段とを制御して、前記所定のチャンネルと前記所定の方向とを切換えるチャンネル方向切換制御を行なう順番切換制御手段と、
前記順番切換制御手段によって切換えられている前記所定のチャンネルと前記所定の方向との組合せごとに、前記放送信号抽出手段によって抽出された放送信号が受信に適しているか否かの受信判定を行なう受信適否判定手段と、
前記受信判定で受信に適していると判定された前記所定の方向のうち少なくとも１つを前記所定のチャンネルと対応付けて記憶する受信チャンネル記憶手段と、
前記放送信号抽出手段によって抽出された放送信号を信号処理する信号処理手段と、
前記信号処理手段によって信号処理された信号が表示装置または記録装置で使用されているか否かの使用判定をする使用判定手段と、
前記チャンネル方向切換制御を停止する切換停止制御手段と、
前記切換停止制御手段によって前記チャンネル方向切換制御が停止されたときの前記チャンネル方向切換制御の切換状態を記憶する切換状態記憶手段とを備え、
前記順番切換停止制御手段は、前記チャンネル方向切換制御が行なわれているときに前記使用判定で使用されていると判定された場合、前記チャンネル方向切換制御を停止する使用切換停止制御手段を含み、
前記順番切換制御手段は、前記使用判定で使用されなくなったと判定されたときに、前記切換状態記憶手段に記憶された切換状態から、前記チャンネル方向切換制御を行なう、放送受信装置。
【請求項３】
前記順番切換制御手段は、前記所定のチャンネルについて予め定められた複数の方向すべてに切換えた後に次のチャンネルに切換える順番で、前記チャンネル方向切換制御を行ない、
前記切換停止制御手段は、前記順番切換制御手段によって切換えられているチャンネルについてすべての方向に切換えられたときに、前記チャンネル方向切換制御を停止し、
前記切換状態記憶手段は、前記所定のチャンネルの次のチャンネルを前記切換状態として記憶し、
前記順番切換制御手段は、前記使用判定で使用されなくなったと判定されたときに、前記切換状態記憶手段に記憶されたチャンネルから、前記チャンネル方向切換制御を行なう、請求項２に記載の放送受信装置。
【請求項４】
前記順番切換制御手段は、前記所定のチャンネルについて予め定められた複数の方向すべてに切換えた後に次のチャンネルに切換える順番で、前記チャンネル方向切換制御を行ない、
前記切換停止制御手段は、前記使用判定で使用されていると判定されたときに、前記チャンネル方向切換制御を停止し、
前記切換状態記憶手段は、前記所定のチャンネルおよび前記所定の方向を前記切換状態として記憶し、
前記順番切換制御手段は、前記使用判定で使用されなくなったと判定されたときに、前記切換状態記憶手段に記憶されたチャンネルおよび方向から、前記チャンネル方向切換制御を行なう、請求項２に記載の放送受信装置。
【請求項５】
前記順番切換制御手段は、前記所定のチャンネルについて予め定められた複数の方向すべてに切換えた後に次のチャンネルに切換える順番で、前記チャンネル方向切換制御を行ない、
前記信号処理手段によって信号処理された信号の表示装置または記録装置での使用が予約されているか否かの予約判定をする予約判定手段と、
前記予約判定手段により予約されていると判定された場合、予約されている時間までの期間を算出する期間算出手段と、
前記期間算出手段によって算出された期間で前記受信判定が可能なチャンネル数を算出するチャンネル数算出手段とをさらに備え、
前記切換停止制御手段は、前記チャンネル数算出手段によって算出されたチャンネル数のチャンネルに前記順番切換制御手段によって切換えられたときに、前記チャンネル方向切換制御を停止する予約切換停止制御手段をさらに含む、請求項２に記載の放送受信装置。
【請求項６】
接続された指向性を切換可能な可変指向性アンテナの指向性を所定の方向に切換える指向性切換手段と、
前記可変指向性アンテナから入力された複数のチャンネルのそれぞれに対応する放送信号のうちから所定のチャンネルに対応する放送信号を抽出する放送信号抽出手段と、
前記指向性切換手段と前記放送信号抽出手段とを制御して、前記所定のチャンネルについて予め定められた複数の方向すべてに切換えた後に次のチャンネルに切換える順番で、前記所定のチャンネルと前記所定の方向とを切換えるチャンネル方向切換制御を行なう順番切換制御手段と、
前記順番切換制御手段によって切換えられている前記所定のチャンネルと前記所定の方向との組合せごとに、前記放送信号抽出手段によって抽出された放送信号が受信に適しているか否かの受信判定を行なう受信適否判定手段と、
前記受信判定で受信に適していると判定された前記所定の方向のうち少なくとも１つを前記所定のチャンネルと対応付けて記憶する受信チャンネル記憶手段と、
前記放送信号抽出手段によって抽出された放送信号を信号処理する信号処理手段と、
前記信号処理手段によって信号処理された信号の表示装置または記録装置での使用が予約されているか否かの予約判定をする予約判定手段と、
前記予約判定手段により予約されていると判定された場合、予約されている時間までの期間を算出する期間算出手段と、
前記期間算出手段によって算出された期間で前記受信判定が可能なチャンネル数を算出するチャンネル数算出手段と、
前記チャンネル数算出手段によって算出されたチャンネル数のチャンネルについてのすべての方向の前記受信判定が行なわれたときに、前記チャンネル方向切換制御を停止する予約切換停止制御手段とを備える、放送受信装置。
【請求項７】
前記予約切換停止制御手段によって前記チャンネル方向切換制御が停止されたときの前記チャンネル方向切換制御の切換状態を記憶する切換状態記憶手段と、
前記信号処理手段によって信号処理された信号が表示装置または記録装置で使用されているか否かの使用判定をする使用判定手段とをさらに備え、
前記順番切換制御手段は、前記使用判定で使用されなくなったと判定されたときに、前記切換状態記憶手段に記憶された切換状態から、前記チャンネル方向切換制御を行なう、請求項６に記載の放送受信装置。
【請求項８】
前記順番切換制御手段は、前記所定のチャンネルおよび前記所定の方向の組合せのそれぞれに対して予め定められた優先順位の高い組合せからの順番で前記チャンネル方向切換制御を行なう、請求項１から請求項７までのいずれかに記載の放送受信装置。
【請求項９】
請求項１から請求項８までのいずれかに記載の放送受信装置と、前記信号処理手段によって信号処理された信号で示される情報を表示する表示装置とを備えた、放送受像装置。
【請求項１０】
請求項１から請求億８までのいずれかに記載の放送受信装置と、前記信号処理手段によって信号処理された信号で示される情報を記録する記録装置とを備えた、放送録画装置。
【発明の詳細な説明】
【技術分野】
【０００１】
本発明は、放送受信装置、放送受像装置、および、放送録画装置に関し、特に、可変指向性アンテナと接続される放送受信装置、放送受像装置、および、放送録画装置に関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。八木アンテナは、反射器、放射器および導波器で構成されており、反射器の働きにより導波器側へ強い指向性を有し、利得も大きいといった長所がある。
【０００３】
良好な受信ができるように、八木アンテナは、その指向性が放送局の方向と一致するように設定される。一般的に、アンテナは家屋の屋根等に固定して設置されるので、一旦設置されてしまうと、その指向性を変更することは容易ではない。そのため、複数の放送局が分散して存在している場合には、その指向性に応じた特定の方向にある放送局の放送信号しか受信できなかった。
【０００４】
そこで、指向性を複数種類に切換えて、分散して存在する各放送局からの電波を受信できる可変指向性アンテナが考案されている。可変指向性アンテナには、たとえば、スマートアンテナがある。このスマートアンテナは、複数のアンテナ素子で構成され、各アンテナ素子を適当な振幅および位相により励振することで指向性を切換えることができる。
【０００５】
したがって、上述のスマートアンテナを用いることで、放送局が分散して存在している場合でも各放送局からの電波が受信可能となる。
【０００６】
このような可変指向性アンテナでは、少しでも電波状態の良い方向から電波を受信するために、定期的に、チャンネルサーチを行ない各チャンネルごとの可変指向性アンテナの指向性を自動的に設定するオートディレクションスキャンが実行される。
【０００７】
特許文献１には、番組の非視聴状態時にチャンネルサーチが行なわれるデジタル放送受信装置が開示されている。このデジタル放送受信装置は、ユーザがリモコン送信機等を用いて受信装置に電源ＯＦＦの指示を出したときに、電源ＯＦＦ処理を猶予して、チャンネルサーチ処理を行なう。
【０００８】
また、特許文献２には、自動的にチャンネルサーチが行なわれるデジタル放送受信装置が開示されている。このデジタル放送受信装置は、ユーザによって設定されたチャンネルサーチの実施日時が到来したときに電源ＯＮ状態でなければ電源ＯＮ処理を行なった後、チャンネルサーチ処理を行なう。また、電源ＯＮ状態であれば、電源ＯＦＦキーが操作されるまで待機した後、チャンネルサーチ処理を行なう。
【特許文献１】特開２００３−１６３８５４号公報
【特許文献２】特開２００３−１６３８５３号公報
【発明の開示】
【発明が解決しようとする課題】
【０００９】
しかし、可変指向性アンテナのオートディレクションスキャンには、八木アンテナのような単一指向性アンテナのチャンネルサーチの数倍の時間を要する。たとえば、単一指向性アンテナのチャンネルサーチに２分要していたものが、１６方向切換可能な可変指向性アンテナのオートディレクションスキャンには、約３０分要してしまうといった問題があった。
【００１０】
また、特許文献１および特許文献２に開示されている技術では、チャンネルサーチの途中で、ユーザが電源をオン状態にした場合は、その後に、電源がオフ状態にされてから再度、最初からチャンネルサーチを行なわなければならないといった問題があった。
【００１１】
このため、少しでも良い状態の電波を受信するために実行されるオートディレクションスキャン機能が、ユーザに煩わしさを与えてしまうといった問題があった。
【００１２】
この発明は上述の問題点を解決するためになされたもので、この発明の目的の１つは、ユーザに煩わしさを極力与えずに、受信に適したチャンネルおよび受信方向を記憶することが可能な放送受信装置、放送受像装置、および、放送録画装置を提供することである。
【課題を解決するための手段】
【００１３】
上述した課題を解決するために、この発明のある局面に従えば、放送受像装置および放送録画装置などに備えられる放送受信装置は、指向性切換部と、放送信号抽出部と、順番切換制御部と、受信適否判定部と、受信チャンネル記憶部と、信号処理部と、使用判定部と、切換停止制御部と、切換状態記憶部とを備える。
【００１４】
指向性切換部は、接続された指向性を切換可能な可変指向性アンテナの指向性を所定の方向に切換える。放送信号抽出部は、可変指向性アンテナから入力された複数のチャンネルのそれぞれに対応する放送信号のうちから所定のチャンネルに対応する放送信号を抽出する。順番切換制御部は、指向性切換部と放送信号抽出部とを制御して、所定のチャンネルと所定の方向とを切換えるチャンネル方向切換制御を行なう。
【００１５】
受信適否判定部は、順番切換制御部によって切換えられている所定のチャンネルと所定の方向との組合せごとに、放送信号抽出部によって抽出された放送信号が受信に適しているか否かの受信判定を行なう。受信チャンネル記憶部は、受信判定で受信に適していると判定された所定の方向のうち少なくとも１つを所定のチャンネルと対応付けて記憶する。
【００１６】
信号処理部は、放送信号抽出部によって抽出された放送信号を信号処理する。使用判定部は、信号処理部によって信号処理された信号が表示装置または記録装置で使用されているか否かの使用判定をする。
【００１７】
切換停止制御部は、チャンネル方向切換制御を停止する。切換状態記憶部は、順番切換停止制御部によってチャンネル方向切換制御が停止されたときのチャンネル方向切換制御の切換状態を記憶する。
【００１８】
切換停止制御部に含まれる使用切換停止制御部は、チャンネル方向切換制御が行なわれているときに使用判定で使用されていると判定された場合、チャンネル方向切換制御を停止する。順番切換制御部は、使用判定で使用されなくなったと判定されたときに、切換状態記憶部に記憶された切換状態から、チャンネル方向切換制御を行なう。
【００１９】
好ましくは、順番切換制御部は、所定のチャンネルについて予め定められた複数の方向すべてに切換えた後に次のチャンネルに切換える順番で、チャンネル方向切換制御を行なう。切換停止制御部は、順番切換制御部によって切換えられているチャンネルについてすべての方向に切換えられたときに、チャンネル方向切換制御を停止する。切換状態記憶部は、所定のチャンネルを切換状態として記憶する。順番切換制御部は、使用判定で使用されなくなったと判定されたときに、切換状態記憶部に記憶されたチャンネルの次のチャンネルから、チャンネル方向切換制御を行なう。
【００２０】
好ましくは、切換状態記憶部は、順番切換制御部は、所定のチャンネルについて予め定められた複数の方向すべてに切換えた後に次のチャンネルに切換える順番で、チャンネル方向切換制御を行なう。順番切換停止制御部は、使用判定で使用されていると判定されたときに、チャンネル方向切換制御を停止する。切換状態記憶部は、所定のチャンネルおよび所定の方向を切換状態として記憶する。順番切換制御部は、使用判定で使用されなくなったと判定されたときに、切換状態記憶部に記憶されたチャンネルおよび方向から、チャンネル方向切換制御を行なう。
【００２１】
好ましくは、放送受信装置は、予約判定部と、期間算出部と、チャンネル算出部と、予約順番切換制御部とをさらに備える。順番切換制御部は、所定のチャンネルについて予め定められた複数の方向すべてに切換えた後に次のチャンネルに切換える順番で、チャンネル方向切換制御を行なう。予約判定部は、信号処理部によって信号処理された信号の表示装置または記録装置での使用が予約されているか否かの予約判定をする。期間算出部は、予約判定部により予約されていると判定された場合、予約されている時間までの期間を算出する。チャンネル数算出部は、期間算出部によって算出された期間で受信判定が可能なチャンネル数を算出する。切換停止制御部に含まれる予約切換停止制御部は、チャンネル数算出部によって算出されたチャンネル数のチャンネルに順番切換制御部によって切換えられたときに、チャンネル方向切換制御を停止する。
【発明の効果】
【００２２】
この発明に従えば、放送受信装置によって、チャンネル方向切換制御が行なわれ、所定のチャンネルと所定の方向との組合せごとに、受信判定がされ、受信に適していると判定された所定の方向のうち少なくとも１つが所定のチャンネルと対応付けられて記憶される。
【００２３】
また、放送受信装置によって、抽出された放送信号が信号処理され、信号処理された信号が表示装置または記録装置で使用されているか否かの使用判定がされる。また、チャンネル方向切換制御が行なわれているときに使用判定で使用されていると判定された場合、チャンネル方向切換制御が停止され、切換状態が記憶される。また、放送受信装置によって、使用判定で使用されなくなったと判定されたときに、記憶された切換状態からチャンネル方向切換制御が行なわれる。
【００２４】
このため、チャンネル方向切換制御が行なわれているときに表示装置または記録装置で信号処理された信号が使用された場合、チャンネル方向切換制御が停止され、使用されなくなったときに、停止されたときの切換状態からチャンネル方向切換制御が行なわれる。
【００２５】
その結果、ユーザに煩わしさを極力与えずに、受信に適したチャンネルおよび受信方向を記憶することが可能な放送受信装置、放送受信装置と表示装置とを備えた放送受像装置、および、放送受信装置と記録装置とを備えた放送録画装置を提供することができる。
【発明を実施するための最良の形態】
【００２６】
この発明の実施の形態について、図面を参照しながら詳細に説明する。なお、図中の同一または相当部分については、同一符号を付してその説明は繰返さない。
【００２７】
また、この発明の実施の形態においては、放送信号を受信するアンテナとしてスマートアンテナを用いることとする。しかし、これに限定されず、指向性を切換えることが可能な可変指向性アンテナであれば、他のアンテナを用いることができる。
【００２８】
［第１実施形態］
図１は、この発明の第１実施形態に従う録画再生装置１の概略構成図である。
【００２９】
図１を参照して、この発明の第１実施形態に従う録画再生装置１は、スマートアンテナ３０から放送信号を受信し、スマートアンテナ３０に対して受信方向切換信号を出力する。また、録画再生装置１は、モニタ４０に対して映像信号および音声信号を出力する。さらに、録画再生装置１は、リモコン４２から指令信号を受信する。
【００３０】
スマートアンテナ３０は、録画再生装置１から受信方向切換信号を受けて、各アンテナ素子に対する励振を変化させて指向性を切換える。
【００３１】
モニタ４０およびリモコン４２は、周知であるので詳細な説明は省略する。
【００３２】
録画再生装置１は、制御部１０と、チューナ１６と、デジタル復調器１８と、アナログ復調器２０と、ＯＳＤ（On Screen Display）回路２１と、ＭＰＥＧ（Moving Picture Experts Group）デコーダ２２と、映像合成部２３と、受信方向切換部２４と、リモコン受信部２６と、録画部７０とからなる。
【００３３】
制御部１０は、プログラムを実行するＣＰＵ（Central Processing Unit）１０ａと、
実行されるプログラム、プログラム実行中のデータ、およびプログラム実行結果のデータを記憶するメモリ１０ｂとからなる。
【００３４】
チューナ１６は、受信した放送信号の中から、制御部１０からの指令に応じて選択されたチャンネルに対応する放送信号を抽出する。そして、抽出された放送信号がデジタルテレビ放送信号である場合は、チューナ１６は、デジタル復調器１８に放送信号を出力する。一方、抽出された放送信号がアナログテレビ放送信号である場合は、チューナ１６は、アナログ復調器２０へ放送信号を出力する。
【００３５】
デジタル復調器１８は、チューナ１６から放送信号を受けて、映像および音声の信号であるＭＰＥＧ信号に復調し、そのＭＰＥＧ信号をＭＰＥＧデコーダ２２へ出力する。
【００３６】
ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行うので、受信開始から１フレーム（１／３０秒）以内で受信データ誤り率の演算ができる。制御部１０は、受信データ誤り率によって、放送信号の信号レベルを判断することができる。
【００３７】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の第１実施形態におけるデジタル復調器１８は、上述のいずれの方式を用いてもよい。
【００３８】
アナログ復調器２０は、チューナ１６から放送信号を受けて、映像信号および音声信号へ復調する。そして、アナログ復調器２０は、復調された音声信号を外部および録画部７０へ出力する。また、アナログ復調器２０は、復調された映像信号を映像合成部２３および録画部７０へ出力する。さらに、アナログ復調器２０は、水平同期信号の捕捉の可否を制御部１０へ出力する。
【００３９】
ここで、アナログテレビ放送信号には、走査線の水平走査および垂直走査を制御するために、水平同期信号および垂直同期信号が含まれている。アナログ復調器２０が映像信号の復調を行うために、上述の水平同期信号および垂直同期信号を捕捉する必要がある。
【００４０】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００４１】
また、アナログ復調器２０は、ＡＧＣ（Auto Gain Control）回路を含む。ＡＧＣ回路は、アナログテレビ放送の放送信号の強弱による映像のコントラストの変化を軽減するために、フィードバック制御によりチューナ１６からの放送信号を一定のレベルに保つ回路である。
【００４２】
ＡＧＣ回路から出力される放送信号の電圧レベルが低い場合は、水平同期信号を捕捉できない。このため、ＡＧＣ回路によって放送信号が増幅される。制御部１０は、水平同期信号を捕捉できたときのＡＧＣ回路による放送信号の増幅率によって、放送信号の信号レベルを判断することができる。
【００４３】
水平同期信号を捕捉するにあたり、アナログ復調器２０は、受信した放送信号に対して、雑音除去処理、周波数分離処理、同期信号分離処理および整形増幅処理等を行なう。それゆえ、受信開始から水平同期信号の捕捉までには、上述のデジタル復調器１８における受信データ誤り率の演算に比較して、多くの時間を要する。
【００４４】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００４５】
したがって、この発明の第１実施形態におけるアナログ復調器２０は、上述のいずれの方式を用いてもよい。
【００４６】
ＯＳＤ回路２１は、制御部１０からの指令に応じて、モニタ４０の画面上に情報を表示するためのＯＳＤ信号を生成して、映像合成部２３へ出力する。この実施の形態においては、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００４７】
ＭＰＥＧデコーダ２２は、デジタル復調器１８から受けた信号を映像信号および音声信号に復号する。そして、ＭＰＥＧデコーダ２２は、復号された音声信号を外部および録画部７０へ出力する。また、ＭＰＥＧデコーダ２２は、復号された映像信号を映像合成部２３および録画部７０へ出力する。
【００４８】
映像合成部２３は、アナログ復調器２０またはＭＰＥＧデコーダ２２から受けた映像信号で示される映像に、ＯＳＤ回路２１から受けたＯＳＤ信号で示される映像を重畳させる。そして、映像合成部２３は、重畳された映像を示す映像信号を外部へ出力する。
【００４９】
受信方向切換部２４は、制御部１０からの指令に応じて、受信方向切換信号をスマートアンテナ３０へ出力する。
【００５０】
リモコン受信部２６は、リモコン４２からの指令を受信して制御部１０へ出力する。ユーザは、所望の動作を行わせるためリモコン４２を用いて、指令を送信する。
【００５１】
録画部７０は、制御部１０からの指令に応じて、アナログ復調器２０またはＭＰＥＧデコーダ２２から受けたアナログ信号をＭＰＥＧデータに変換して記録媒体７１に記録する。また、録画部７０は、制御部１０からの指令に応じて、記録媒体７１に記録された信号を再生して、映像信号および音声信号に変換して、映像信号および音声信号を外部へ出力する。ＯＳＤ回路２１からＯＳＤ信号を受けた場合は、録画部７０は、ＯＳＤ信号で示される映像を映像信号で示される映像に重畳させて、重畳された映像を示す映像信号を外部へ出力する。
【００５２】
なお、本実施形態においては、記録媒体７１は、ＤＶＤ（Digital Versatile Disk）であることとする。しかし、これに限定されず、記録媒体７１は、ＤＶＤ以外の光ディスク、ビデオテープなどの磁気テープ、または、ハードディスクなどの磁気ディスクなど、アナログ信号またはデジタル信号を記録可能なものであれば、どのようなものであってもよい。
【００５３】
また、本実施形態においては、ＭＰＥＧデコーダ２２がアナログ信号に変換したものを再度、録画部７０がＭＰＥＧデータに変換するようにした。しかし、デジタル復調器１８がＭＰＥＧデータを録画部７０へ直接出力して、録画部７０がそのＭＰＥＧデータを記録するようにしてもよい。
【００５４】
第１実施形態では、スマートアンテナ３０は、指向性を切換えることにより水平面に対して１６分割された各方向に受信方向を変更できるとして説明する。
【００５５】
図２は、この発明の第１実施形態に従うスマートアンテナ３０の受信方向切換図である。本実施形態においては、図２に示すように時計回り（正の回転方向）に１，２，・・・，１６と各受信方向に番号付けを行なう。
【００５６】
図３は、この発明の第１実施形態に従うスキャン処理の流れを示すフローチャートである。
【００５７】
図３を参照して、まず、制御部１０は、現在の時刻がオートディレクションスキャンを実行する実行時間であるか否かを判断する（ステップＳ１０１）。オートディレクションスキャンとは、チャンネルごとに受信に適した受信方向を自動的に検出することである。
【００５８】
本実施形態においては、電波の受信状況の日々の変化に対応するために、オートディレクションスキャンを１日に１回行なうこととする。このため、予め設定された実行時間になったときに、オートディレクションスキャンを開始する。
【００５９】
なお、オートディレクションスキャンを実行する周期は、１日ごとに限定されず、たとえば、１週間ごと、１ヶ月ごとなど予め定められた他の周期であってもよい。また、ユーザからの指示によって、オートディレクションスキャンを実行するようにしてもよい。
【００６０】
現在の時刻が実行時間である場合（ステップＳ１０１においてＹＥＳの場合）、制御部１０は、実行済フラグをオフ状態にして（ステップＳ１０２）、処理をステップＳ１０４に進める。実行済フラグとは、所定周期ごとのオートディレクションスキャンが実行されたか否かを示すフラグである。実行済フラグがオン状態であるときに、実行済フラグによって実行済みであることが示される。
【００６１】
一方、現在の時刻が実行時間でない場合（ステップＳ１０１においてＮＯの場合）、制御部１０は、実行済フラグがオン状態であるか否かを判断する（ステップＳ１０３）。
【００６２】
実行済フラグがオン状態である場合（ステップＳ１０３においてＹＥＳの場合）、所定周期ごとのオートディレクションスキャンが実行済みであるので、制御部１０は、このスキャン処理を終了して、実行する処理を呼出元の処理に戻す。
【００６３】
一方、実行済フラグがオン状態でない場合（ステップＳ１０３においてＮＯの場合）、制御部１０は、処理をステップＳ１０４に進める。
【００６４】
次に、制御部１０は、記録再生装置１の電源がオン状態であるか否かを判断する（ステップＳ１０４）。なお、記録再生装置１の電源がオン状態であるときは、制御部１０、チューナ１６、デジタル復調器１８、アナログ復調器２０、ＯＳＤ回路２１、ＭＰＥＧデコーダ２２、映像合成部２３、受信方向切換部２４、リモコン受信部２６、および、録画部７０に電源が供給される。
【００６５】
また、記録再生装置１の電源がオフ状態であるときは、制御部１０、チューナ１６、デジタル復調器１８、アナログ復調器２０、受信方向切換部２４、および、リモコン受信部２６に電源が供給される。このため、記録再生装置１の電源がオフ状態であるときであっても、制御部１０は、放送信号の受信状態を検出することができる。
【００６６】
電源がオン状態である場合（ステップＳ１０４においてＹＥＳの場合）、制御部１０は、このスキャン処理を終了して、実行する処理を呼出元の処理に戻す。一方、電源がオン状態でない場合（ステップＳ１０４においてＮＯの場合）、制御部１０は、録画予約など録画再生装置１の電源がオン状態とされる予約がメモリ１０ｂに記憶されているか否かを判断する（ステップＳ１０５）。
【００６７】
予約がある場合（ステップＳ１０５においてＹＥＳの場合）、制御部１０は、チャンネル数算出処理を実行する（ステップＳ１０６）。チャンネル数算出処理は、一番近い予約時間までの期間でオートディレクションスキャンを実行するチャンネル数ｎを算出する処理である。チャンネル数算出処理については、図４で詳細に説明する。ステップＳ１０６の後、制御部１０は、処理をステップＳ１０８に進める。
【００６８】
一方、予約がない場合（ステップＳ１０５においてＮＯの場合）、制御部１０は、全チャンネル数Ｌから開始チャンネル番号ｍを引いて１を加えた数をチャンネル数ｎとして算出する（ステップＳ１０７）。開始チャンネル番号ｍとは、オートディレクションスキャンが中断された場合に、次に、続きからオートディレクションスキャンを開始するときのチャンネル番号である。
【００６９】
つまり、ステップＳ１０７では、所定周期ごとに行なわれるオートディレクションスキャンの残りのチャンネル数が算出される。ステップＳ１０７の後、制御部１０は、処理をステップＳ１０８に進める。
【００７０】
次に、制御部１０は、受信判定処理を実行する（ステップＳ１０８）。受信判定処理は、各チャンネルとスマートアンテナ３０が指向される各方向とのそれぞれの組合せがそのチャンネルの放送の受信に適しているか否かを判定する処理である。受信判定処理については、図５で詳細に説明する。ステップＳ１０８の後、制御部１０は、このスキャン処理を終了して、実行する処理を呼出元の処理に戻す。
【００７１】
このように、スキャン処理が制御部１０によって実行されることにより、所定周期ごとに、オートディレクションスキャンが実行される。また、オートディレクションスキャンは、記録再生装置１の電源がオフ状態のときに実行される。さらに、予約がある場合は、予約時間となるまでの期間で可能なチャンネル数のオートディレクションスキャンが実行される。
【００７２】
図４は、この発明の第１実施形態に従うチャンネル数算出処理の流れを示すフローチャートである。
【００７３】
図４を参照して、まず、制御部１０は、一番近い予約時間をメモリ１０ｂから読出す（ステップＳ１１１）。そして、制御部１０は、ステップＳ１１１で読出した予約時間までの期間を算出する（ステップＳ１１２）。
【００７４】
次に、制御部１０は、ステップＳ１１２で算出した期間でオートディレクションスキャンを実行することが可能なチャンネル数ｋを算出する（ステップＳ１１３）。１つのチャンネルのオートディレクションスキャンに要する時間はほぼ一定であるので、チャンネル数ｋは、ステップＳ１１２で算出された期間を１つのチャンネルのオートディレクションスキャンに要する予め定めた標準時間で割ることにより算出される。
【００７５】
さらに、制御部１０は、ステップＳ１１３で算出したチャンネル数ｋ、および、全チャンネル数Ｌから開始チャンネル番号ｍを引いて１加算して算出される所定周期ごとのオートディレクションスキャンの残りチャンネル数のうち、少ないチャンネル数を、予約時間までに実行するオートディレクションスキャンのチャンネル数ｎとして算出する（ステップＳ１１４）。
【００７６】
ステップＳ１１４の後、制御部１０は、このチャンネル数算出処理を終了して、実行する処理を呼出元の処理に戻す。
【００７７】
このように、チャンネル数算出処理が制御部１０によって実行されることにより、予約時間までにオートディレクションスキャンを実行するチャンネル数ｎが算出される。また、所定周期ごとのオートディレクションスキャンの残りチャンネル数（Ｌ−ｍ＋１）が予約時間までに実行可能なオートディレクションスキャンのチャンネル数ｋよりも少ない場合は、残りチャンネル数ｋがチャンネル数ｎとして算出される。
【００７８】
図５は、この発明の第１実施形態に従う受信判定処理の流れを示すフローチャートである。
【００７９】
図５を参照して、まず、制御部１０は、ループカウンタとしての変数ｉを開始チャンネル番号ｍに、ループカウンタとしての変数ｊを受信方向番号１に初期化する（ステップＳ１２１）。そして、ステップＳ１２２からステップＳ１４３までの変数ｉについてのループが実行される。
【００８０】
最初に、制御部１０は、変数ｉがオートディレクションスキャンを実行する最後のチャンネル番号より多くなったか否かを判断する（ステップＳ１２２）。オートディレクションスキャンを実行する最後のチャンネル番号は、開始チャンネル番号ｍにオートディレクションスキャンを実行するチャンネル数ｎを加算して１減算することによって算出される。
【００８１】
変数ｉが最後のチャンネル番号（ｍ＋ｎ−１）より多くなっていない場合（ステップＳ１２２においてＮＯの場合）、制御部１０は、チューナ１６を制御して、受信するチャンネルをチャンネル番号ｉに切換える（ステップＳ１２３）。
【００８２】
次いで、制御部１０は、変数Ｊを受信方向番号０に、変数Ｓを０に初期化する（ステップＳ１２４）。変数Ｊは、所定レベル以上の信号レベルであって最も高いレベルの受信方向番号を格納するための変数である。変数Ｓは、最高信号レベルを示す量を格納するための変数である。なお、受信方向番号０は、いずれの方向も示さない番号である。
【００８３】
そして、ステップＳ１３１からステップＳ１３７までの変数ｊについてのループが実行される。最初に、制御部１０は、変数ｊが最後の受信方向番号である１６より多くなったか否かを判断する（ステップＳ１３１）。
【００８４】
変数ｊが最後の受信方向番号より多くなっていない場合（ステップＳ１３１においてＮＯの場合）、制御部１０は、受信方向切換部２４を制御して、スマートアンテナ３０の指向性をｊ番目の方向に切換える（ステップＳ１３２）。
【００８５】
次に、制御部１０は、デジタル復調器１８またはアナログ復調器２０からの信号レベルｓを測定する（ステップＳ１３３）。そして、制御部１０は、信号レベルｓが所定レベルより大きいか否かを判断する（ステップＳ１３４）。
【００８６】
信号レベルｓは、たとえば、デジタルの場合、受信データ誤り率の逆数、アナログの場合、ＡＧＣ回路による増幅率の逆数で表わすことができる。また、所定レベルは、放送を受信することができる最低限のレベルである。
【００８７】
信号レベルｓが所定レベルよりも大きい場合（ステップＳ１３４においてＹＥＳの場合）、制御部１０は、さらに、信号レベルｓが信号レベルＳより大きいか否かを判断する（ステップＳ１３５）。
【００８８】
信号レベルｓが最高信号レベルＳより大きい場合（ステップＳ１３５においてＹＥＳの場合）、制御部１０は、最高レベル受信方向番号Ｊに、信号レベルｓの受信方向番号ｊの値を代入し、最高信号レベルＳに信号レベルｓの値を代入する（ステップＳ１３６）。
【００８９】
信号レベルｓが所定レベルより大きくない場合（ステップＳ１３４においてＮＯの場合）、信号レベルｓが信号レベルＳより大きくない場合（ステップＳ１３５においてＮＯの場合）、または、ステップＳ１３６の後、制御部１０は、変数ｊにｊ＋１の値を代入して、処理をステップＳ１３１に戻す。
【００９０】
変数ｊが最後の受信方向番号より多くなった場合（ステップＳ１３１においてＹＥＳの場合）、制御部１０は、チャンネルｉの受信方向番号ＪiにＪの値を代入する（ステップＳ１４１）。
【００９１】
そして、記録再生装置１の電源がオン状態になったか否かを判断する（ステップＳ１４２）。電源がオン状態になっていない場合（ステップＳ１４２においてＮＯの場合）、制御部１０は、変数ｉにｉ＋１の値を代入して、処理をステップＳ１２２に戻す。
【００９２】
変数ｉが最後のチャンネル番号（ｍ＋ｎ−１）より多くなった場合（ステップＳ１２２においてＹＥＳの場合）、制御部１０は、最後のチャンネル番号（ｍ＋ｎ−１）が全チャンネル数未満か否かを判断する（ステップＳ１５１）。
【００９３】
電源がオン状態になった場合（ステップＳ１４２においてＹＥＳの場合）、または、最後のチャンネル番号（ｍ＋ｎ−１）が全チャンネル数未満である場合（ステップＳ１５１においてＹＥＳの場合）、制御部１０は、ｉ＋１の値を開始チャンネル番号ｍとしてメモリ１０ｂに記憶させる（ステップＳ１４４）。
【００９４】
最後のチャンネル番号（ｍ＋ｎ−１）が全チャンネル数未満でない場合（ステップＳ１５１においてＮＯの場合）、制御部１０は、実行済フラグをオン状態にする（ステップＳ１５２）。
【００９５】
次に、制御部１０は、最初のチャンネル番号を開始チャンネル番号ｍとしてメモリ１０ｂに記憶させる（ステップＳ１５３）。ステップＳ１４４またはステップＳ１５３の後、制御部１０は、この受信判定処理を終了し、実行する処理をスキャン処理に戻す。
【００９６】
このように、受信判定処理が制御部１０によって実行されることにより、予め定められた順番でチャンネルと受信方向とが切換えられ、それぞれのチャンネルと受信方向との組合せごとに、チューナ１８からの放送信号が受信に適しているか否かが判断され、受信に適した受信方向番号がチャンネル番号と対応付けられて記憶される。これにより、オートディレクションスキャンが実行される。
【００９７】
また、オートディレクションスキャンの途中で録画再生装置１の電源がオン状態にされた場合は、オートディレクションスキャンが中断される。そして、録画再生装置１の電源がオフ状態にされたときに、中断された状態からオートディレクションスキャンを開始するために、中断されたときのオートディレクションスキャンの次の状態が、次回のオートディレクションスキャンの開始時の状態として記憶される。
【００９８】
以上説明したように、第１実施形態における録画再生装置１は、放送受信部、および、録画部７０を備える。
【００９９】
また、放送受信部は、チューナ１６と、デジタル復調器１８と、アナログ復調器２０と、ＯＳＤ回路２１と、ＭＰＥＧデコーダ２２と、映像合成部２３と、受信方向切換部２４と、リモコン受信部２６と、制御部１０とを含む。
【０１００】
受信方向切換部２４は、接続された指向性を切換可能なスマートアンテナ３０の指向性を所定の方向に切換える。チューナ１６は、スマートアンテナ３０から入力された複数のチャンネルのそれぞれに対応する放送信号のうちから所定のチャンネルに対応する放送信号を抽出する。
【０１０１】
制御部１０は、ステップＳ１２１からステップＳ１３２まで、ステップＳ１３７、および、ステップＳ１４３の処理を実行することによって、受信方向切換部２４とチューナ１６とを制御して、所定のチャンネルと所定の方向とを切換えるチャンネル方向切換制御を行なう。
【０１０２】
また、制御部１０は、ステップＳ１３３からステップＳ１３６までの処理を実行することによって、チャンネル方向切換制御によって切換えられている所定のチャンネルと所定の方向との組合せごとに、チューナ１６によって抽出された放送信号が受信に適しているか否かの受信判定を行なう。
【０１０３】
制御部１０のメモリ１０ｂは、制御部１０によりステップＳ１４１の処理が実行されることによって、受信判定で受信に適していると判定された所定の方向のうち最も信号レベルが高い方向を所定のチャンネルと対応付けて記憶する。
【０１０４】
デジタル復調器１８、アナログ復調器２０、ＯＳＤ回路２１、ＭＰＥＧデコーダ２２、および、映像合成部２３は、チューナ１６によって抽出された放送信号を信号処理する。制御部１０は、ステップＳ１０４、および、ステップＳ１４２の処理を実行することによって、信号処理された信号が録画部７０または外部で使用されているか否かの使用判定をする。
【０１０５】
制御部１０は、チャンネル方向切換制御が行なわれているときに使用判定で使用されていると判定された場合（ステップＳ１４２においてＹＥＳの場合）、ステップＳ１２２からステップＳ１４３までのループの処理を抜出すことによって、チャンネル方向切換制御を停止する。
【０１０６】
制御部１０のメモリ１０ｂは、制御部１０によりステップＳ１４４が実行されることによって、チャンネル方向切換制御が停止されたときのチャンネル方向切換制御の制御状態を記憶する。
【０１０７】
制御部１０は、使用判定で使用されなくなったと判定されたとき（ステップＳ１０４においてＮＯと判定されたとき）に、ステップＳ１２１の処理を実行することによって、メモリ１０ｂに記憶された切換状態から、チャンネル方向切換制御を行なう。
【０１０８】
これによって、録画再生装置１の放送受信部によって、チャンネル方向切換制御が行なわれ、所定のチャンネルと所定の方向との組合せごとに、受信判定がされ、受信に適していると判定された所定の方向のうち最も信号レベルの高い方向が所定のチャンネルと対応付けられて記憶される。
【０１０９】
また、放送受信部によって、抽出された放送信号が信号処理され、信号処理された信号が記録部７０または外部で使用されているか否かの使用判定がされる。また、チャンネル方向切換制御が行なわれているときに使用判定で使用されていると判定された場合、チャンネル方向切換制御が停止され、切換状態が記憶される。また、放送受信部によって、使用判定で使用されなくなったと判定されたときに、記憶された記憶状態からチャンネル方向切換制御が行なわれる。
【０１１０】
このため、信号処理された信号がチャンネル方向切換制御が行なわれているときに録画部７０または外部で使用された場合、チャンネル方向切換制御が停止され、使用されなくなったときに、停止されたときの切換状態からチャンネル方向切換制御が行なわれる。
【０１１１】
その結果、録画再生装置１は、ユーザに煩わしさを極力与えずに、受信に適したチャンネルおよび受信方向を記憶することができる。
【０１１２】
また、制御部１０は、ステップＳ１２２からステップＳ１４３までの処理を実行することによって、所定のチャンネルについて予め定められた複数の方向すべてに切換えた後に次のチャンネルに切換える順番で、チャンネル方向切換制御を行なう。
【０１１３】
制御部１０は、チャンネル方向切換制御で切換えられているチャンネルについてすべての方向に切換えられたとき（ステップＳ１２２においてＹＥＳと判定されたとき）に、ステップＳ１４２の処理を実行することによって、チャンネル方向切換制御を停止する。制御部１０のメモリ１０ｂは、制御部１０によりステップＳ１４４が実行されることによって、切換状態として所定のチャンネルの次のチャンネルを記憶する。
【０１１４】
制御部１０は、使用判定で使用されなくなったと判定されたときに、（ステップＳ１０４においてＮＯと判定されたとき）に、ステップＳ１２１の処理を実行することによって、メモリ１０ｂに記憶されたチャンネルから、チャンネル方向切換制御を行なう。
【０１１５】
これによって、あるチャンネルについて、すべての方向に切換えられて、受信判定が行なわれたときに、チャンネル方向切換制御が停止される。そして、使用判定で使用されなくなったと判定されたときに、次のチャンネルからチャンネル方向切換制御が行なわれる。
【０１１６】
このため、チャンネル方向切換制御が停止されるときにメモリ１０ｂに記憶されるのは、チャンネル番号だけでよいので、記憶容量の節約をすることができる。また、１つのチャンネルについて時間的に近いタイミングで受信判定が行なわれ、気象状況や電波状況などの環境的な変化があまり生じないので、環境的または時間的な受信状況の変化に大きく左右されずに、１つ１つのチャンネルについて最適な受信判定を行なうことができる。
【０１１７】
また、放送受信部の制御部１０は、ステップＳ１０５の処理を実行することによって、信号処理された信号の記録部７０または外部での使用が予約されているか否かの予約判定をする。
【０１１８】
制御部１０は、予約判定で予約されていると判定した場合（ステップＳ１０５においてＹＥＳの場合）、ステップＳ１１１およびステップＳ１１２を実行することによって、予約されている時間までの期間を算出する。制御部１０は、ステップＳ１１３を実行することによって、算出された期間で受信判定が可能なチャンネル数を算出する。
【０１１９】
制御部１０は、さらに、算出されたチャンネル数のチャンネルに切換えたとき（ステップＳ１２２においてＹＥＳと判定したとき）に、ステップＳ１２２からステップＳ１４３からのループを終了し、チャンネル方向切換制御を停止する。
【０１２０】
これによって、録画再生装置１の使用が予め予約されている場合には、予約時間までに一旦チャンネル方向切換制御が停止されるので、予約時間となったときに、受信判定が行なわれていることがなくなる。
【０１２１】
なお、第１実施形態における録画再生装置１の録画部７０と放送受信部とに替えて、表示部と放送受信部とを備えた放送受像装置などの放送を表示する装置にも本発明を適用することができる。
【０１２２】
［第２実施形態］
図６は、この発明の第２実施形態に従う放送受信装置１００の概略構成図である。
【０１２３】
図６を参照して、放送受信装置１００は、第１実施形態において説明した録画再生装置１から録画部７０を除いた装置である。このため、第２実施形態においては、第１実施形態と共通の部分について説明を繰返さない。
【０１２４】
放送受信装置１００は、モニタ４０および録画・再生装置７００のそれぞれとＩＥＥＥ１３９４（Institute of Electrical and Electronic Engineers 1394）規格のケーブルで接続される。
【０１２５】
放送受信装置１００は、ＩＥＥＥ１３９４規格のケーブルを介して、モニタ４０または録画・再生装置７００に対して映像信号および音声信号を出力する。また、放送受信装置１００の制御部１０は、ＩＥＥＥ１３９４規格のケーブルを介して、モニタ４０または録画・再生装置７００から、モニタ４０または録画・再生装置７００の電源がオン状態であるか否かを示す信号を受ける。
【０１２６】
放送受信装置１００の制御部１０は、前述した図３のステップＳ１０４、および、図５のステップＳ１４２において、モニタ４０または録画・再生装置７００の電源がオン状態であるか否かを示す信号を受けることによって、それぞれ、モニタ４０または録画・再生装置７００の電源がオン状態であるか否かを判断する。
【０１２７】
なお、放送受信装置１００と、モニタ４０または録画・再生装置７００とを接続するケーブルは、ＩＥＥＥ１３９４規格のケーブルに限定されず、映像信号、音声信号、および、モニタ４０または録画・再生装置７００の電源がオン状態であることを示す信号をやり取りできるケーブルであれば、他のケーブルであってもよい。
【０１２８】
これによって、第２実施形態の放送受信装置１００は、第１実施形態の録画再生装置１の放送受信部と同様の作用および効果を奏する。
【０１２９】
なお、第１実施形態および第２実施形態において、制御部１０は、使用判定で使用されていると判定されたとき（ステップＳ１４２において電源がオン状態であると判定されたとき）に、チャンネル方向切換制御を停止して、メモリ１０ｂに、所定のチャンネルの次のチャンネルを切換状態として記憶させ、使用判定で使用されなくなったと判定されたときに、記憶されたチャンネルから、チャンネル方向切換制御を行なうようにした。
【０１３０】
しかし、制御部１０は、使用判定で使用されていると判定されたときに、チャンネル方向切換制御を停止して、メモリ１０ｂに、所定のチャンネルおよび所定の方向を切換状態として記憶させ、使用判定で使用されなくなったと判定されたときに、記憶されたチャンネルおよび方向から、チャンネル方向切換制御を行なうようにしてもよい。
【０１３１】
これによって、電源がオン状態になったときには、切換えられているチャンネルについてすべての方向に切換えられるのを待つことなく、即座にチャンネル方向切換制御を停止することができる。そして、続きからチャンネル方向切換制御を行なうときには、記憶されたチャンネルについて、最初の方向からチャンネル方向切換制御を行なうことなく、そのチャンネルについて途中の方向からチャンネル方向切換制御を行なうことができるので、効率よくチャンネル方向切換制御を行なうことができる。
【０１３２】
また、予約時間によってチャンネル方向切換制御を停止させる場合には、チャンネルを切換状態として記憶させて、電源がオン状態になったときにチャンネル方向切換制御を停止させる場合には、チャンネルおよび方向を切換状態として記憶させるようにしてもよい。
【０１３３】
また、第１実施形態および第２実施形態において、所定のチャンネルについて予め定められた複数の方向すべてに切換えた後に次のチャンネルに切換える順番で、チャンネル方向切換制御を行なうようにした。
【０１３４】
しかし、重複することなく切換状態を特定可能にチャンネル方向切換制御を行なうのであれば、他の順番であってもよい。たとえば、予めプリセットされたチャンネルについて優先的にチャンネル方向切換制御を行なった後に、プリセットされていないチャンネルについてチャンネル方向切換制御を行なうようにしてもよい。また、プリセットされていないチャンネルについて優先的にチャンネル方向切換制御を行なった後に、プリセットされたチャンネルについてチャンネル方向切換制御を行なうようにしてもよい。
【０１３５】
また、予約時間までの期間に応じて、予めグループ分けされたチャンネル群のうち、優先度が高く予約時間までの期間で受信判定が可能なチャンネル群から、チャンネル方向切換制御を行なうようにしてもよい。グループ分けとしては、プリセットされたチャンネル群およびプリセットされていないチャンネル群のグループ分けであってもよいし、他のグループ分けであってもよい。
【０１３６】
また、前述した第１実施形態では、ステップＳ１０４およびステップＳ１４２において、録画再生装置１の電源がオン状態であるか否かを判断するようにした。また、前述した第２実施形態では、放送受信装置１００の電源がオン状態であるか否かを判断するようにした。
【０１３７】
しかし、これに限定されず、録画再生装置１の放送受信部、または、放送受信装置１００で信号処理された信号が、録画部７０および録画・再生装置７００などの録画装置や、モニタ４０などの表示装置で使用されているか否かを判断するものであれば、他のものであってもよい。
【０１３８】
たとえば、録画再生装置１の制御部１０が、録画再生装置１でＭＰＥＧデコーダ２２やアナログ復調器２０から録画部７０に出力される信号の電流を検出することによって、録画再生装置１の放送受信部で信号処理された信号が使用されているか否かを判断するようにしてもよい。
【０１３９】
また、放送受信装置１００の制御部１０が、放送受信装置１００からモニタ４０や録画・再生装置７００に出力される信号の電流を検出することによって、信号処理された信号が使用されているか否かを判断するようにしてもよい。
【０１４０】
また、前述した第１実施形態および第２実施形態では、録画再生装置１および放送受信装置１００は、それぞれ、スマートアンテナ３０から受けた放送信号をアナログの映像信号および音声信号に信号処理して外部に出力するようにした。
【０１４１】
しかし、これに限定されず、スマートアンテナ３０から受けた放送信号を信号処理して外部に出力するものであれば、他のものであってもよい。たとえば、スマートアンテナ３０から受けた放送信号をデジタルの映像信号および音声信号に信号処理して外部に出力するものであってもよい。
【０１４２】
また、前述した第１実施形態および第２実施形態では、可変指向性アンテナとして、電気的に指向性を調整するものを示したが、例えばアンテナの方位角をモータによって変更するような機械的に指向性を調整することができる構成を使用できる。
【０１４３】
前述した第１実施形態および第２実施形態においては、それぞれ、録画再生装置１および放送受信装置１００について説明した。しかし、図３、図４、および、図５で説明した処理を録画再生装置１、放送受信装置１００、または、放送受信装置１００を含む放送受像装置それぞれで実行する制御方法として発明を捉えることができる。
【０１４４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４５】
【図１】この発明の第１実施形態に従う放送受信装置の概略構成図である。
【図２】この発明の第１実施形態に従うスマートアンテナの受信方向切換図である。
【図３】この発明の第１実施形態に従うスキャン処理の流れを示すフローチャートである。
【図４】この発明の第１実施形態に従うチャンネル数算出処理の流れを示すフローチャートである。
【図５】この発明の第１実施形態に従う受信判定処理の流れを示すフローチャートである。
【図６】この発明の第２実施形態に従う放送受信装置の概略構成図である。
【符号の説明】
【０１４６】
１  録画再生装置、１０  制御部、１０ａ  ＣＰＵ、１０ｂ  メモリ、１６  チューナ、１８  デジタル復調器、２０  アナログ復調器、２１  ＯＳＤ回路、２２  ＭＰＥＧデコーダ、２３  映像合成部、２４  受信方向切換部、２６  リモコン受信部、３０  スマートアンテナ、４０  モニタ、４２  リモコン、７０  録画部、７１  記録媒体、１００  放送受信装置、７００  録画・再生装置。
【図１】
2006129060.tif 000003
【図２】
2006129060.tif 000004
【図３】
2006129060.tif 000005
【図４】
2006129060.tif 000006
【図５】
2006129060.tif 000007
【図６】
2006129060.tif 000008